(57)【要約】【課題】  プライバシーの目的で表示されたコンテンツを自動的に調整するディスプレイの操作方法を提供する。【解決手段】  本発明によるディスプレイの操作方法は、コンテンツを取得する取得ステップと、コンテンツのプロファイルを決定する第１の決定ステップと、ディスプレイによって上映されるコンテンツが認識される上映空間において、要素を検知する検知ステップと、上映空間において検知された要素の各々に対するプロファイルを決定する第２の決定ステップと、検知された要素のプロファイル、及びコンテンツのプロファイルに基づいて、上映用のコンテンツを選択する選択ステップとを含む。【選択図】図１
2004201305.tif 000002
【特許請求の範囲】
【請求項１】
ディスプレイの操作方法であって、
コンテンツを取得する取得ステップと、
前記コンテンツのプロファイルを決定する第１の決定ステップと、
前記ディスプレイによって上映されるコンテンツが認識される上映空間において、要素を検知する検知ステップと、
前記上映空間において検知された前記要素の各々に対するプロファイルを決定する第２の決定ステップと、
検知された前記要素のプロファイル、及び前記コンテンツのプロファイルに基づいて、上映用のコンテンツを選択する選択ステップと
を含む方法。
【請求項２】
上映用のコンテンツを取得する第１の取得ステップと、
前記コンテンツのアクセス特権を決定する第１の決定ステップと、
前記コンテンツが上映されるべき上映空間の少なくとも１つの画像を取得する第２の取得ステップと、
前記上映空間の少なくとも１つの画像における視聴者を検知する検知ステップと、
検知された前記視聴者に対する複数の鑑賞特権を決定する第２の決定ステップと、
前記視聴者の複数の前記鑑賞特権を結合する結合ステップと、
結合された前記鑑賞特権、及び前記コンテンツの鑑賞特権に基づいて、上映用のコンテンツを選択する選択ステップと、
選択された前記コンテンツを上映する上映ステップと
を含む表示装置の操作方法。
【請求項３】
上映空間モニタシステムを含み、
前記上映空間モニタシステムは、ディスプレイによって上映されるコンテンツが認識される上映空間における条件を示すモニタ信号を生成する制御システム。
【発明の詳細な説明】
【技術分野】
【０００１】
本発明は、一般に、ディスプレイシステムに関する。
【背景技術】
【０００２】
前面投射型テレビシステム、背面投射型テレビシステム、プラズマディスプレイ、及び他の種類のディスプレイ等の大規模なビデオシステムは、ますます好評、かつ手の届くものになってきている。そのような大規模ビデオディスプレイシステムは、しばしば、視聴者に対して、より直接的、かつ楽しめる方法で、音声の／視覚的なコンテンツを上映するために、サラウンドサウンドなオーディオシステム、及び他の高度なオーディオシステムに適合される。新しい家、及び会社の多くが、そのようなシステムを収容するように設計されたメディア室、又は円形劇場と共に建造される。
【０００３】
また、次第に、そのような大規模ビデオディスプレイが、通例として、個人的なコンピュータシステム、並びに、テレビシステムに基づくインターネット家電、デジタルケーブルプログラミング、及び双方向ウェブ等の、ディスプレイが、テレビ会議、シミュレーション、ゲーム、双方向プログラミング、没入型プログラミング、及び汎用演算等の高度な画像生成アプリケーションの一部として使用されることを可能にする他の情報処理技術に、結合されつつある。これらの用途の多くで、大きなビデオディスプレイは、金融取引、医療記録、及びパーソナル通信等の秘密保持の情報を上映するために使用される。
【発明の開示】
【発明が解決しようとする課題】
【０００４】
そのような大規模ディスプレイシステムの使用に特有の問題は、それらが、大きな視覚規模でコンテンツを上映するので、そのコンテンツが、非常に大きな上映領域で観察されることである。従って、ディスプレイシステムから相当な距離離れた場所にいる観察者が、そのコンテンツを、対象とされる視聴者の了承無しで見ることができる場合がある。秘密事項を扱うコンテンツが、対象とされない視聴者によって観察されることを防止する方法の１つは、ディスプレイに上映される画像が、規制された領域内でのみ目に見えるように、ディスプレイシステムの周囲に物理的限界を定めることである。この目的のために、壁、ドア、カーテン、仕切り、及び他の単純な物理的遮断システムが、有効に適用できる。しかし、そのような物理的限界を定めることは、しばしば、不便であり、時に、不可能である。従って、内密の、すなわち秘密事項を扱うコンテンツを上映するために使用されるそのような大規模なビデオディスプレイシステムに必要な、機密性及びセキュリティを提供する他の手段が必要とされる。
【０００５】
別の方法は、ディスプレイが、ディスプレイと比較して非常に狭い視角の範囲内で見ることのできる画像を上映することである。例えば、非常に狭い画角内を除いて、ディスプレイによって放出される画像変調光の伝播を遮断するために、視聴者と、ディスプレイとの間に、偏光スクリーンが設置されてもよい。この方法は、しばしば、好ましくない。なぜなら、狭い画角は、人々がディスプレイを観察できる位置の範囲を制限するからである。
【０００６】
別の方法は、対象とされない視聴者が、上映空間Ａに入るとき、又は、視聴者が、対象とされない視聴者が、上映空間Ａに入りそうであると感じるとき、対象とされる視聴者がトリガする停止ボタン、又は停止スイッチを使用する既知のディスプレイ、及び関連するディスプレイ制御プラグラムの使用を必要とする。停止ボタンが、手動でトリガされるとき、ディスプレイシステムは、秘密事項を含むコンテンツの上映を停止する、及び／又は、異なるコンテンツを上映するように仕向けられる。この方法は、少なくとも一人の視聴者が、上映されるコンテンツと、上映空間をモニタするタスクとの間で、彼又は彼女の注意を分けることを必要とすることが理解される。これは、停止スイッチを制御する視聴者にとっての不必要な負担につながる。
【０００７】
さらに別の方法は、顔認識アルゴリズムの使用を必要とする。２００１年２月５日に、Ｍａｅｓ等によって出願された、「マルチモデル検知、指示のあいまい性解決、及びマルチモデル入力を用いたムード分類のシステム並びに方法（Ｓｙｓｔｅｍ Ａｎｄ Ｍｅｔｈｏｄ ｆｏｒ ｍｕｌｔｉ−Ｍｏｄａｌ Ｆｏｃｕｓ Ｄｅｔｅｃｔｉｏｎ，Ｒｅｆｅｒｅｎｔｉａｌ Ａｍｂｉｇｕｉｔｙ Ｒｅｓｏｌｕｔｉｏｎ ａｎｄ Ｍｏｏｄ Ｃｌａｓｓｉｆｉｃａｔｉｏｎ Ｕｓｉｎｇ Ｍｕｌｔｉ−Ｍｏｄａｌ Ｉｎｐｕｔ）」と題する米国特許出願第２００２／０１３５６１８号は、顔認識アルゴリズム、及び他のアルゴリズムが、ユーザと情報をやりとりするコンピュータシステムを助けるために結合されるシステムを説明する。ここで説明される方法において、マルチモード入力は、翻訳コマンドにおいてシステムを助けるために提供される。例えば、スピーチ認識システムは、ビデオシステムがコマンドの発行元を決定する間、コマンドを解釈することができる。しかし、ここで説明されるシステムは、ディスプレイのコンテンツの不正の観察を防止するという問題を考慮しない。
【０００８】
従って、必要とされるものは、プライバシーの目的で表示されたコンテンツを自動的に調整するディスプレイシステム、及びディスプレイ方法である。
【課題を解決するための手段】
【０００９】
本発明の第１の態様において、提供されるものはディスプレイの操作方法である。この発明によれば、コンテンツが取得され、そのコンテンツに対するプロファイルが決定される。ディスプレイによって上映されるコンテンツが認識できる上映空間において要素が検知される。上映空間において検知された要素の各々に対してプロファイルが決定される。検知された要素に対するプロファイル、及びコンテンツのプロファイルに基づいて、上映用のコンテンツが選択される。
【００１０】
本発明の別の態様において、ディスプレイの操作方法が提供される。本発明によれば、上映用のコンテンツが取得され、そのコンテンツに対するアクセス特権が決定される。コンテンツが上映される上映空間の少なくとも１つの画像が取得される。上映空間の少なくとも１つの画像において、視聴者が検知される。検知された視聴者に対して、鑑賞特権が決定される。視聴者に対する鑑賞特権は結合される。結合された視聴者の鑑賞特権、及びコンテンツの鑑賞特権に基づいて、上映用のコンテンツが選択される。
【００１１】
本発明のさらに別の態様において、ディスプレイの制御システムが提供される。その制御システムは、上映空間における条件を示すモニタ信号を生成する上映空間モニタシステムと、コンテンツを受け取り、そのコンテンツに対するプロファイルを決定するように適用される処理装置とを有する。その上映空間内で、ディスプレイによって上映されるコンテンツが認識される。処理装置は、さらに、モニタ信号に基づいて、上映空間内の要素を検知し、上映空間内の各々の要素に対してプロファイルを決定するように適用される。処理装置は、検知された要素に対するプロファイルと、コンテンツのプロファイルに基づいて、上映用のコンテンツを選択する。
【００１２】
本発明の別の態様において、上映空間にコンテンツを上映するディスプレイの制御システムが提供される。その制御システムは、上映空間を撮像する上映空間画像形成手段と、上映空間画像において要素を検知し、検知された要素の各々に対してプロファイルを決定する要素プロファイル手段と、コンテンツに対してプロファイルを決定するコンテンツプロファイル手段とを有する。処理装置は、要素プロファイルとコンテンツのプロファイルに基づいて、上映用のコンテンツを選択する。
【発明を実施するための最良の形態】
【００１３】
図１は、コンテンツを見せることに適した本発明の上映システム１０の第１の実施の形態を示す。本明細書で使用されるように、コンテンツという語は、ビデオ、オーディオ、テキスト、感情若しくはグラフィック情報、又は上演、及びそれらの組み合わせの任意の形態をいう。
【００１４】
図１に示された実施の形態において、上映システム１０は、ディスプレイ装置２０を備える。ディスプレイ装置２０は、例えば、アナログテレビ、デジタルテレビ、コンピュータモニタ、投影システム、又は、画像若しくは他の目に見えるコンテンツを含む信号を受け取り、かつその信号を上映空間Ａで認識可能な画像に変換することができる他の装置である。ディスプレイ装置２０は、ブラウン管ディスプレイ装置、液晶ディスプレイ、有機発光ディスプレイ、又は他の種類のディスプレイ要素等の画像変調光源２２を備える。または、画像変調光源２２は、当業界で既知の、前面投影型ディスプレイシステム、背面投影型ディスプレイシステム、ホログラフィック及び／又は没入型ディスプレイシステムを含んでもよい。また、ディスプレイドライバ２４が提供される。ディスプレイドライバ２４は、画像信号を受け取り、これらの画像信号を、画像変調光源２２に画像を表示させる制御信号に変換する。
【００１５】
また、上映システム１０は、オーディオシステム２６を備える。オーディオシステム２６は、上映空間Ａ全体にわたって検知可能な方法で、コンテンツのオーディオ要素を上映することが可能な従来の手動、又はステレオ音声システムを備えてもよい。または、オーディオシステム２６は、関連するオーディオコンテンツの２以上のチャンネルを提供する系統だった方法を提供するサラウンドサウンドシステムを含んでもよい。また、オーディオシステム２６は、上映空間Ａの特定部分にオーディオを方向付けるために使用できる他の形式のオーディオシステムを含んでもよい。そのような方向付けられたオーディオシステムは、１９９９年１２月２０日に、Ａｇｏｓｔｉｎｅｌｌｉ等によって出願された、同一出願人による「方向オーディオを備えた画像表示装置（Ｐｉｃｔｏｒｉａｌ Ｄｉｓｐｌａｙ Ｄｅｖｉｃｅ Ｗｉｔｈ Ｄｉｒｅｃｔｉｏｎａｌ Ａｕｄｉｏ）」と題する米国特許第０９／４６７２３５号で説明される。
【００１６】
また、上映システム１０は、制御システム３０を組み込む。制御システム３０は、信号処理装置３２とコントローラ３４とを備える。コンテンツの供給３６は、信号処理装置３２にコンテンツ生成信号を提供する。コンテンツの供給３６は、例えば、デジタルビデオディスクプレーヤ、ビデオカセットプレーヤ、コンピュータ、デジタル若しくはアナログビデオ、又はスチルカメラ、スキャナ、ケーブルテレビネットワーク、インターネット若しくは他の遠隔通信システム、電子メモリ、又は、上映用のコンテンツを含む信号を伝達することができる他の電子システムを含んでもよい。信号処理装置３２は、このコンテンツを受け取り、そのコンテンツを上映のために適用する。この点で、信号処理装置３２は、コンテンツを生成する信号からビデオコンテンツを抽出し、画像変調光源２２にビデオコンテンツを表示させる信号を生成する。同様に、信号処理装置３２は、コンテンツ生成信号からオーディオ信号を抽出する。抽出されたオーディオ信号は、そのオーディオ信号を、上映空間Ａにおいて聞くことが可能な可聴形式に変換するオーディオシステム２６に提供される。
【００１７】
コントローラ３４は、選択的に、信号処理装置３２によって受け取られた画像を、画像変調光源２２によって上映させる。図１に示される実施の形態において、ユーザインタフェース３８が提供され、ディスプレイ装置２０の種々の機能の局所的な制御を可能にする。例えば、ユーザインタフェース３８は、１以上の視聴者が、色調、コントラスト、輝度、オーディオ音量、コンテンツチャネル選択肢等のシステム調整嗜好を入力することを可能にする。コントローラ３４は、ユーザインタフェース３８から、信号を受け取る。その信号は、ユーザによって要求される調整を特徴付け、信号処理装置３２に、ディスプレイ装置２０によって上映される画像に、要求されたシステム調整を担わせる適当な指示を提供する。
【００１８】
同様に、ユーザインタフェース３８は、上映システム１０のユーザが、上映システム１０をイネーブル、又はディスイネーブルにする入力を行う、及び／又は、システム１０による上映のために、コンテンツの特別のチャネルを選択するよう適用されてもよい。ユーザインタフェース３８は、以下により詳細に説明されるように、ユーザに、キャリブレーションに使用される他の入力を提供できる。例えば、ユーザインタフェース３８は、音声認識モジュールと共に適用されてもよい。その音声認識モジュールは、可聴出力を認識し、認識を、装置の動作を制御するコントローラ３４によって使用されうる信号に提供する。
【００１９】
また、上映空間Ａにおいて、特定のコンテンツが上映されるべきかどうかに影響を与える可能性がある要素を検知するために、上映空間モニタシステム４０が、サンプル上映空間Ａに提供される。上述されるように、上映空間Ａは、上映システム１０によって上映されるコンテンツが認識されうる任意の空間又は領域を備える。上映空間Ａは、多くの形態を取りうる。例えば、図１に示される実施の形態において、ディスプレイ装置２０によって上映されるコンテンツは、壁５１によって制限される。または、上映システム１０が、小売店、列車の駅、若しくは空港ターミナルにおけるディスプレイ領域等のオープンスペースで操作される場合、上映空間Ａは、上映システム１０の光学的表示能力によって制限される。同様に、上映システム１０が、モバイル環境で操作される場合、上映空間Ａは、上映システム１０が移動するとき変化する場合がある。
【００２０】
図１に示される実施の形態において、上映空間モニタシステム４０は、アナログ、又はデジタル撮像ユニット４２等の従来の撮像装置を備える。撮像ユニット４２は、シーンからの光を、その光を電子信号に変換する画像センサ４６に合焦する撮影レンズユニット４４を備える。撮影レンズユニット４４及び画像センサ４６は、共同して、上映空間Ａを含む画像を撮像する。
【００２１】
撮像ユニット４２によって撮像された画像は、信号処理装置３２に供給される。信号処理装置３２は、画像を解析して、上映空間Ａが撮影された画像における画像要素を検知する。上映空間Ａに見られる画像要素の例は、視聴者５０，５２，５４、又は、上映システム１０によって上映されるものに影響を及ぼす可能性があるドア５６、窓５８、若しくは他の項目（図示されない）等のものを含む。そのような他の項目は、オーディオ撮像装置と同様に、ビデオカメラ、デジタルスチルカメラ等のコンテンツ撮像装置、又は他の任意の撮像装置を含んでもよい。
【００２２】
要素プロファイルのソース６０が提供される。要素プロファイルのソース６０は、光学的、磁気的、若しくは電子的記憶装置等、又は遠隔ネットワークによって提供される記憶装置等のメモリ装置であってよい。また、要素プロファイルのソース６０は、画像処理装置３２、若しくはコントローラ３４等の処理装置によって実行されるアルゴリズムを含んでもよい。そのようなアルゴリズムは、撮像ユニット４２によって撮像された上映空間画像に見られる要素の解析に基づいたプロファイル情報を決定し、図２を参照して示されるように、プロファイルを、識別された要素に割り当てる。
【００２３】
図２は、上映システム１０等の上映システムを操作する方法の実施の形態のフロー図を示す。図２に示されるように、上映システムは、最初にキャリブレーションされる（ステップ１１０）。図３に示されるように、キャリブレーション中、上映空間Ａを含むキャリブレーション画像が得られる（ステップ１１２）。上映システム１０のユーザは、キャリブレーション画像を使用して、上映空間Ａに上映される、若しくは上映される可能性のある要素を識別し（ステップ１１４）、各々の要素に対してプロファイルが決定される（ステップ１１６）。
【００２４】
キャリブレーション中に識別される要素は、例えば、上映空間Ａに存在する視聴者５０，５２，５４等の人々を含んでもよい。そのような人々は、上映空間の１以上の画像を解析するために、顔認識、又は、その他のソフトウェアを用いて識別されてもよい。この点で、キャリブレーション中に使用されるキャリブレーション画像は、顔認識ソフトウェアによって使用されることが可能な特定の人々、又は、彼らの特定の特徴の画像を含み、上映空間にいそうな人々の識別を助ける。プロファイル情報は、各人に割り当てられる。プロファイルは、その人が観察する権利のあるコンテンツの性質を識別する。例えば、その人が、大人の視聴者であり、鑑賞特権が、子供の視聴者のそれよりも広くてよいことが決定される。もう１つの例において、視聴者は、他の大人の視聴者が利用できない、その大人に関して選択された情報にアクセスできる。プロファイルは、鑑賞特権を種々の方法で割り当てることができる。例えば、鑑賞特権は、映画を評価して、各々の映画に対して一般的な評価を与える、米国、カリフォルニア州、エンシーノのアメリカ映画協会（ＭＰＡＡ）によって提供される評価等の評価を参照して決められてもよい。これがなされる場合、各々の要素は、１以上の評価に関連し、その要素に関連した鑑賞特権は、それが関連する評価によって決められる。しかし、視聴者５０，５２，５４を個々に識別することなく、プロファイルを割り当てることも可能であることが理解される。これは、人々を類別し、各々の部類に共通の特権集合を割り当てることによってなされる。これがなされる場合、視聴者の各々の部類にプロファイルが割り当てられてよい。例えば、上映空間Ａにおける人々は、視聴者の大人部類に関連した特権集合を有する大人、及び、子供部類に関連した別の特権集合を有する子供に類別されてもよい。
【００２５】
また、人々以外の要素が、割り当てられるプロファイル情報であってもよい。上映空間Ａにおける、窓、ドア、ブラインド、カーテン、及び他の対象等のアイテムが、プロファイルと共に割り当てられてもよい。例えば、ドア５６は、その画像が、ドアが開いていることを示すとき、表示特権の１つのレベルを記述するプロファイルと共に割り当てられることが可能である。ドアが部分的に開いているときは別の設定がされ、ドアが閉まっているとき、さらに別の設定がなされる。
【００２６】
別の例において、窓５８は、窓の条件に関連した種々の鑑賞特権を与えるプロファイルと共に割り当てられてもよい。例えば、窓とプロファイルは、窓５８の外で観察者が一人も検知されないとき、ある特権集合を決定し、窓５８の外で観察者が検知されるとき、別の特権集合を決定する。
【００２７】
さらに別の例において、上映空間モニタシステム４０によって画像形成される、カーペット領域、家具等の頻繁に変化しない上映空間Ａの一部は、無変化領域要素として識別されてもよい。無変化領域要素は、画像の上映中に無変化領域要素が変化するときイネーブルになる鑑賞特権を識別するプロファイルと共に割り当てられることが可能である。
【００２８】
更なる例において、撮像ユニット４２によって画像形成される、コンテンツの表示中に変化することが予想されるが、その変化が、しばしば、コンテンツに関連した特権の決定に関係するとは考えられない上映空間Ａの種々の一部が、識別できる。例えば、大きな箱時計（図示されない）が、シーンにおいて上映されてもよい。その時計は、その文字盤上で回転する針、及び動く振り子を有する。従って、コンテンツがある期間にわたって上映されるとき、時計の外観で変化が起こる。しかし、これらの変化は、鑑賞特権の決定に関連しない。従って、これらの領域は、動的要素として識別され、各々の動的要素に、その動的要素における変化が、上映されるコンテンツを決定する場合に無視されるべきであること示すプロファイルが割り当てられる。
【００２９】
最後に、上映空間Ａにおいて、未知の要素が上映されるとき、上映空間Ａのための特権集合の条件を決定することは有用である。例えば、「未知」の要素に対してプロファイルを決定することが有用であってよい。要素において未知の人物、又は不明確な変化が起こる場合、未知の要素のプロファイルが、特権設定を決定するために使用される。
【００３０】
キャリブレーション工程は、手動のキャリブレーション工程として説明されたけれども、キャリブレーション工程は、上映空間を走査して、要素の予め決められた部類、及びユーザの予め決められた部類を探索することによって、自動モードで実施されてもよい。
【００３１】
一旦キャリブレーションされると、上映システム１０は、コンテンツを見て、表示モードを入力する要求を決定する（ステップ１２０）。典型的に、この要求は、ユーザインタフェース３８を用いて示される。しかし、上映システム１０は、コントローラ３４が、その日の特定の時間に上映システム１０を起動させるようにプログラムされているので、又は、例えば、コントローラ３４が、そのディスプレイで上映するために新しい信号が受け取られたと判断したので、上映システム１０が起動すべきである判断すると、自動的に起動してもよい。
【００３２】
信号処理装置３２は、信号生成コンテンツを解析し、このコンテンツに関連したアクセス特権を定める（ステップ１３０）。そのアクセス特権は、コンテンツを見るように勧められる、又は要求される単一の条件、若しくは、複数の条件を識別する。例えば、ＭＰＡＡの評価が、アクセス特権を決めるために使用されてもよい。または、アクセス特権は、提案されたコンテンツの解析によって決められてもよい。例えば、ディスプレイが、コンピュータ等からデジタル情報を上映するように要求される場合、情報のコンテンツは、そのコンテンツに含まれる情報に基づいて解析され、評価が割り当てられてよい。また、特定のコンテンツに対するアクセス特権は、キャリブレーション中に手動で割り当てられてもよい。
【００３３】
別の実施の形態において、視聴者は、その視聴者がアクセス特権を決めることを望むコンテンツの部類を定めてもよい。例えば、視聴者は、個人的なコンテンツに対してより高いアクセス特権のレベルを定めてもよい。コンテンツが解析されるとき、個人的なコンテンツを含むシーンは、コンテンツの解析、又は、そのコンテンツが個人的な側面を有することを示すコンテンツに関連したメタデータの解析によって識別されてもよい。その後、そのようなコンテンツは、適当なアクセス特権と自動的に関連させられてもよい。その後、上映空間Ａのサンプルが採取される（ステップ１４０）。この実施の形態において、このサンプル採取は、撮像ユニット４２が上映空間Ａの画像を撮像するとき実施される。上映空間モニタシステム４０の光学的特徴に依存して、得られた画像が、十分な焦点を有する上映空間全体を示し、そのシーンにおける要素の識別を可能にするように、異なる被写界深度で異なる画像を撮像することが必要であってよい。
【００３４】
その後、１以上の画像が、画像における要素を検知するために解析される（ステップ１５０）。パターン認識、又は他の既知の画像解析アルゴリズムを用いて、画像解析が実施できる。その後、画像における各々の要素に対するプロファイルが、この解析に基づいて得られる（ステップ１６０）。
【００３５】
その後、上映空間Ａに上映されるコンテンツが選択される（ステップ１７０）。上映空間Ａにおいて１以上の要素が識別される場合、このステップは、要素プロファイルを結合することを要する。これがなされる種々の方法が存在する。要素プロファイルは、加法的方法で結合されてよい。その場合、要素プロファイルの各々が審査され、コンテンツは、その要素に関連した特権の合計に基づいて選択される。表１は、この種の例を示す。この例において、３つの要素、大人、子供、及び開いたドアが、上映空間で検知される。これらの要素の各々は、コンテンツに対する鑑賞特権を識別する割り当てられたプロファイルを有する。この例において、鑑賞特権は、ＭＰＡＡの評価規模に基づく。
【表１】
2004201305.tif 000003
この例に見られるように、結合された鑑賞特権は、子供の要素、及び開いたドアの要素が、より少ない鑑賞特権を有するけれども、全ての大人の鑑賞特権を含む。
【００３６】
また、そのプロファイルは、減法的方法で結合されてもよい。これがなされる場合、上映空間における各々の要素に対するプロファイルが審査され、視聴者の特権が、例えば、その部屋における要素の１つに対するプロファイルの１つに関連した最低レベルまで低減される。この例は、表２に示される。この例において、上映空間は、図１を参照して説明された同じ大人の要素、子供の要素、及び開いたドアの要素を含む。
【表２】
2004201305.tif 000004
【００３７】
しかし、鑑賞特権が減法的方法で結合されたとき、結合された鑑賞特権は、最低の特権集合を有する要素、すなわち開いたドアの要素の特権に制限される。他の取り決めがなされてもよい。例えば、プロファイルは、暴力コンテンツ、成人向けコンテンツ、金融コンテンツ、又は個人コンテンツ等のコンテンツ形式の解析によって決定できる。その場合、各々の要素は、コンテンツの各々の種類に関連した鑑賞プロファイルを有する。そのような結合の結果として、その後選択決定をするために使用できる要素鑑賞特権の集合が決定される。
【００３８】
その後、要素に対する結合されたプロファイルと、コンテンツに対するプロファイルに基づいて、上映用のコンテンツが選択される（ステップ１７０）。結合された要素プロファイルは、鑑賞特権の集合を生成する。この鑑賞特権の集合は、コンテンツのプロファイルによって得られる特権情報と比較されてもよい。鑑賞特権の集合に対応するアクセス特権の集合を有するコンテンツが、上映のために選択される。表１に示される例において、上映のために、ＰＧ評価を有するコンテンツが選択されてよい。なぜなら、ＰＧ評価が、Ｇ、ＰＧ、及びＰＧ−１３評価コンテンツを含む結合された鑑賞特権に対応するからである。逆に、表２に示された例において、ＰＧ評価を有する同じコンテンツが、上映されなくてもよい。なぜなら、ＰＧ評価が、結合された鑑賞特権に対応しないからである。それは、表２の場合に、Ｇ評価に限られる。上述のように、鑑賞特権とアクセス特権は、異なる方法で割り当てられてもよい。従って、選択工程は、異なる方法で実施されてもよい。
【００３９】
例えば、コンテンツが、複数のケーブルチャネル等の複数のストリームで受けとられる場合、選択されたプログラミング、又は選択されたチャネルが遮られてもよい。コンテンツが、デジタルビデオディスクに記録される映画等の単一ストリームのコンテンツを備える場合、選択されたビデオディスク、及び／又は、コンテンツの選択された一部が削除されてもよい。金融、及び他のテキストベースの情報は、テキストベースのコンテキスト解析によって識別され、全部遮られる、又は部分的に秘密の部分が削除されてもよい。
【００４０】
別の実施の形態において、低減されたアクセス特権の集合に関連する部分、及びより大きなアクセス特権の集合に関連する部分を有するコンテンツの主要なストリームが、利用可能である。より大きなアクセス特権の集合を有するが、より小さなアクセス特権の集合を有するように変形されたコンテンツを有する、主要なストリームの一部に対応するコンテンツの一部を有する、コンテンツの第２のストリームが利用可能である。この実施の形態において、上映用のコンテンツを選択するステップは、鑑賞特権の集合が、コンテンツの主要なストリームの一部に関連するより大きなアクセス特権の集合に対応しないこと、及びそのような主要なストリームの一部に代わるコンテンツの第２のストリームから、上映用のコンテンツを選択することを含む。
【００４１】
その後、選択されたコンテンツが上映され（ステップ１８０）、コンテンツの上映の中止が望まれるまで、その工程が繰り返される（ステップ１９０）。各々の繰り返しの途中で、要素上映空間の構成における変化が削除されてもよい。そのような変化は、例えば、上映空間において、人々が動き回るときに起こってもよい。さらに、そのような変化が検知されるとき、コンテンツが上映される方法が、この変化を収容するために自動的に調整されることが可能である。例えば、視聴者が、上映空間の一方側から他方側に動くとき、ディスプレイにおける文章、グラフィック、及びビデオ要素等の上映されたコンテンツが、ディスプレイ内の関係を変化させて、鑑賞経験を最適化することができる。
【００４２】
その他のユーザ嗜好情報が、要素プロファイルに組み込まれてもよい。例えば、先に言及されたように、上映システム１０は、ユーザインタフェース３８によるシステム調整を受け取ることができる。ある実施の形態において、これらの調整は、キャリブレーション工程（ステップ１１０）の間に入力されてよく、上映空間モニタシステム４０は、どの視聴者が何の調整を入力したかを決定するため、及びその調整の嗜好を、視聴者に関連した画像要素のプロファイルに組み込むために適用されてもよい。操作中、上映空間Ａにおける要素は、特別な視聴者に関連して決定され、信号処理装置３２が、システム調整嗜好を使用して、上映されたコンテンツを調整することができる。上映空間Ａにおいて、１以上の視聴者が識別される場合、システム調整嗜好が結合され、上映システム１０の操作を駆動させるために使用されることが可能である。
【００４３】
上述したように、上映空間モニタシステム４０は、単一の撮像ユニット４２を備える。しかし、上映空間モニタシステム４０は、１以上の撮像ユニット４２を含んでもよい。
【００４４】
図４に示されるように、上映システム１０は、大抵、ビデオ会議の目的で適用されてよい。この点で、オーディオシステム２６、ユーザインタフェース３８、及び撮像ユニット４２が、互換性のある遠隔ビデオ会議システムに伝送できるオーディオ、ビデオ、及び他の信号を送受信するために使用できる。この用途において、上映システム１０は、遠隔システムからコンテンツを含む信号を受信でき、このコンテンツのビデオ部分をディスプレイ装置２０で上映する。この実施の形態に示されるように、ディスプレイ装置２０は、ユーザ２０２を表示する反射性画像部分２００、及び、上映空間Ａの撮像画像から得られた実際の鏡像、又は仮の鏡像を提供する。ディスプレイ装置２０の受け取られたコンテンツ部分は、受け取られたコンテンツのビデオ部分を示す。反射性画像部分２００、及び受け取られたコンテンツ部分２０４は、ユーザ２０２によって、異なったサイズ、又は動的に調整されてもよい。コンテンツのオーディオ部分は、この実施の形態ではスピーカシステム２０６を含むオーディオシステム２６によって受け取られ、上演される。
【００４５】
上述の実施の形態において、上映空間モニタシステム４０は、撮像ユニット４２を用いて上映空間Ａをサンプル採取するものとして説明された。しかし、上映空間Ａは、他の方法でサンプルが採取されてもよい。例えば、上映空間モニタシステム４０は、従来の無線周波数サンプル採取システム４３等の他のサンプル採取システムを使用することができる。ある一般的な形態において、上映空間における要素は、固有の無線周波数トランスポンダに関連する。無線周波数サンプル採取システム４３は、上映空間におけるトランスポンダが自己認識信号を用いて反応するポーリング信号を放出するトランシーバを有する。無線周波数サンプル採取システム４３は、信号を検知することによって、上映空間Ａにおける要素を識別する。さらに、記録装置によって典型的に放出される、上映空間における無線周波数信号が検知されてもよい。また、他の従来のセンサシステム４５が、上映空間における要素を検知するため、及び／又は、上映空間における要素の条件を検知するために使用されてもよい。そのような検知装置は、ドアが開いているか閉じているか、又はブラインドが開いているか閉じているかを決定するために使用できるスイッチ、及び他の変換器を含む。そのようなシステムを使用して検知される要素は、プロファイルが結合された鑑賞特権を決定するために使用される上述の方法で、キャリブレーション中にプロファイルと共に割り当てられてもよい。また、撮像ユニット４２、無線周波数サンプル採取システム４３、及びセンサシステム４５は、上映空間モニタシステム４０において、一緒に使用されてもよい。
【００４６】
ある装置において、上映空間Ａに最も近い上映空間の外側の領域をモニタして、上映空間に接近しつつある人々等の要素を検知することは有益である。これは、ディスプレイ上のコンテンツ、又はディスプレイに関連したオーディオコンテンツが、例えば、オーディオコンテンツが検知される前等の、上映空間Ａが侵入される前、又は入力される前に調整されることを可能にする。複数の撮像ユニット４２の使用は、大抵、そのような領域をモニタするように適用された無線周波数サンプル採取システム４３、又はセンサシステム４５の使用と同様に、この目的に役に立つように適用されてもよい。
【００４７】
本発明は、大規模ビデオディスプレイシステムによって上映される情報の機密性を改善するのに特に有用である一方、ビデオカメラ、携帯端末、パーソナルコンピュータ、携帯テレビ、その他に使用される種類のビデオディスプレイ等の他のより小さなシステムにとっても有用である。
【００４８】
本発明は、特にその好ましい実施の形態を参照して詳細に説明される。しかし、その発明の精神及び範囲内で、変形及び改良が達成できることが理解される。この点で、図１に示される上映システム１０の種々の構成要素が、結合、分離、及び／又は他の構成要素と結合され、特許請求に記載された本発明の特徴及び機能を提供できることが理解される。
【図面の簡単な説明】
【００４９】
【図１】本発明の適応可能なディスプレイシステムの実施の形態を示すブロック図である。
【図２】本発明による画像上映方法の実施の形態を示すフロー図である。
【図３】本発明の適応可能なディスプレイシステムの別の実施の形態を示すブロック図である。
【図４】ビデオ会議に対する本発明の実施の形態の使用を示す図である。
【符号の説明】
【００５０】
１０  上映システム
２０  ディスプレイ装置
２２  画像変調光源
２４  ディスプレイドライバ
２６  オーディオシステム
３０  制御システム
３２  信号処理装置
３４  コントローラ
３６  コンテンツの供給
３８  ユーザインタフェース
４０  上映空間モニタシステム
４２  撮像ユニット
４３  無線周波数サンプル採取システム
４４  撮影レンズユニット
４５  センサシステム
４６  画像センサ
４８  処理装置
５０  視聴者
５１  壁
５２  視聴者
５４  視聴者
５６  ドア
５８  窓
６０  要素プロファイル源
１１０  キャリブレーション画像の取得ステップ
１１２  キャリブレーション画像における要素の識別ステップ
１１４  識別された要素に対するプロファイルの決定ステップ
１２０  表示モードの入力ステップ
１３０  コンテンツプロファイルの決定ステップ
１４０  上映空間のサンプルを採取するステップ
１５０  要素の検知ステップ
１６０  要素のプロファイルの決定ステップ
１７０  要素プロファイル及びコンテンツプロファイルに基づいたコンテンツの選択ステップ
１８０  選択されたコンテンツの上映ステップ
１９０  継続ステップ
２００  画像部分
２０２  ユーザ
２０４  コンテンツ部分
２０６  スピーカシステム
Ａ  上映空間
【図１】
2004201305.tif 000005
【図２】
2004201305.tif 000006
【図３】
2004201305.tif 000007
【図４】
2004201305.tif 000008
【外国語明細書】
2004201305.tif 000009
2004201305.tif 000010
2004201305.tif 000011
2004201305.tif 000012
2004201305.tif 000013
2004201305.tif 000014
2004201305.tif 000015
2004201305.tif 000016
2004201305.tif 000017
2004201305.tif 000018
2004201305.tif 000019
2004201305.tif 000020
2004201305.tif 000021
2004201305.tif 000022
2004201305.tif 000023
2004201305.tif 000024
2004201305.tif 000025
2004201305.tif 000026
2004201305.tif 000027
2004201305.tif 000028
2004201305.tif 000029
2004201305.tif 000030
2004201305.tif 000031
2004201305.tif 000032